(57)【要約】【課題】車両が駐車状況に推移した後の内燃機関の始動時クランキングに支障を来し難いアイドリングストップ制御手法を提供する。【解決手段】走行後に駐車する走行目的地の走行目的地推定外気温（最低外気温）を考慮して始動時バッテリー充電率ＳＯＦ2を設定する。そして、この始動時バッテリー充電率ＳＯＦ2が、車両１００が走行目的地推定外気温の走行目的地に駐車された後にエンジン１０を始動時クランキングする際に必要とされる下限のバッテリー充電率である閾値Ｖ2を下回ると、走行目的地に駐車した車両１００での始動時クランキングが実行不能となり得るとして、駐車状況に推移する以前の走行過程におけるアイドリングストップの実行を禁止する（ステップＳ１１０：否定判定〜ステップＳ１２０）。【選択図】図３
2015129494.tif 000002
【特許請求の範囲】
【請求項１】
車両であって、
内燃機関と、
該内燃機関の始動に用いられるバッテリーと、
前記内燃機関のアイドリングストップを実行する内燃機関制御装置とを備え、
該内燃機関制御装置は、
車両の駐車地点を推定する駐車地点推定部と、
該駐車地点推定部が推定した推定駐車地点で駐車した後の車両始動の際の車両周辺外気温を推定する気温推定部と、
駐車状況にある車両において前記内燃機関を始動する際の始動時クランキングに充当できる始動時バッテリー充電率を、前記気温推定部が推定した推定車両周辺外気温と現状のバッテリー充電率とを用いて設定する始動時クランキング充電率設定部と、
前記推定車両周辺外気温の環境に駐車した車両における前記始動時クランキングの実行可否を、前記始動時クランキング充電率設定部により設定された前記始動時バッテリー充電率を用いて判定する始動時クランキング判定部と、
該始動時クランキング判定部が前記推定車両周辺外気温の環境に駐車した車両での前記始動時クランキングは実行不能であると判定すると、アイドリングストップの実行頻度に制限を掛ける実行制限部とを備える車両。
【請求項２】
前記実行制限部は、アイドリングストップの実行を禁止する請求項１に記載の車両。
【請求項３】
前記気温推定部は、前記車両周辺外気温として、前記推定駐車地点の最低外気温を推定し、
前記始動時クランキング判定部は、前記始動時クランキング充電率設定部が前記最低外気温に対応して設定した前記始動時バッテリー充電率が所定の閾値を下回ると、前記始動時クランキングは実行不能であると判定する請求項１または請求項２に記載の車両。
【請求項４】
請求項１から請求項３のいずれか一項に記載の車両であって、
前記始動時クランキング判定部は、前記推定駐車地点に車両が到達するまでの推定時間が所定時間より短時間となると、前記始動時クランキングの実行可否の判定を行う車両。
【発明の詳細な説明】
【技術分野】
【０００１】
本発明は、車両に関する。
【背景技術】
【０００２】
近年、車両の低燃費化の推進を図るため、内燃機関のアイドリングストップを実行する技術が広く普及している。アイドリングストップは、一時停止した内燃機関をバッテリーの電力により再始動するため、バッテリーの充電状況への配慮が不可欠である。このため、アイドリングストップに伴う内燃機関の停止前でのバッテリー充電状況、即ち走行状況下でのバッテリー充電状況を把握し、その把握したバッテリー状況によってはアイドリングストップ実行後の内燃機関の再始動の際のクランキングが不能となり得るので、こうした場合にはバッテリーの容量不足だとしてアイドリングストップを禁止する手法が提案されている（例えば、特許文献１）。
【先行技術文献】
【特許文献】
【０００３】
【特許文献１】特開２００２−１７４１３３号公報
【発明の概要】
【発明が解決しようとする課題】
【０００４】
車両は、その走行目的が達せられると、例えば、自宅や勤務先、旅行目的地等に到達すると、当然に、駐車状況に推移する。そして、車両は、その駐車地点の環境に駐車期間に亘って置かれ、再度の走行に当たっては、内燃機関を始動するための始動時クランキングが実行される。例えば、自宅や旅行目的地に到達した後に駐車され、その翌朝に、始動時クランキングが実行される。こうした始動時クランキングには、アイドリングストップ実行に伴う内燃機関の再始動のクランキング（以下、再始動クランキング）と同様、バッテリーの電力が用いられる。上記の特許公報で提案された手法は、車両が走行状態にある状況下でのアイドリングストップの実行或いは禁止を、走行状況下でのバッテリー充電状況に基づいて定めるに留まり、車両が駐車状況に推移した後の内燃機関の始動時クランキングについての配慮がなされていないのが実情である。このため、次のような問題点が指摘されるに到った。
【０００５】
バッテリーの放電特性は、バッテリーの内部抵抗の影響を受け、この内部抵抗はバッテリー温度が低温度（以下、低バッテリー温度と適宜称する）となると高まる。このため、低バッテリー温度での内燃機関の始動時クランキングに必要なバッテリー容量、即ちバッテリー充電率は、通常時の始動時クランキングよりも高くなる。ところで、車両の駐車環境は様々であり、寒冷地や厳冬期にあっては、駐車周辺環境の外気温が駐車期間において低温に推移して、バッテリーも低温度となることが多々ある。そして、アイドリングストップのためのバッテリー放電による内燃機関の再始動クランキングを行った後に車両が駐車状況に推移すると、このバッテリー放電を賄う充電の機会がさほど無いまま車両は駐車され、その駐車期間の内に低バッテリー温度となってしまうことが有り得る。こうなると、バッテリーは、アイドリングストップのためのバッテリー放電により低容量となった上で、そのバッテリー温度が低温度であるため、車両駐車後の内燃機関の始動時クランキングが困難となることが有り得ると危惧される。こうしたことから、車両が駐車状況に推移した後の内燃機関の始動時クランキングに支障を来し難いアイドリングストップ制御手法を提供することが要請されるに到った。この他、内燃機関のアイドリングストップを実行する内燃機関制御装置やこれを搭載した車両等の構成の簡略化や低コスト化を可能とすることも要請されている。
【課題を解決するための手段】
【０００６】
上記した課題の少なくとも一部を達成するために、本発明は、以下の形態として実施することができる。
【０００７】
（１）本発明の一形態によれば、車両が提供される。この車両は、内燃機関と、該内燃機関の始動に用いられるバッテリーと、前記内燃機関のアイドリングストップを実行する内燃機関制御装置とを備える。そして、内燃機関制御装置は、車両の駐車地点を推定する駐車地点推定部と、該駐車地点推定部が推定した推定駐車地点で駐車した後の車両始動の際の車両周辺外気温を推定する気温推定部と、駐車状況にある車両において前記内燃機関を始動する際の始動時クランキングに充当できる始動時バッテリー充電率を、前記気温推定部が推定した推定車両周辺外気温と現状のバッテリー充電率とを用いて設定する始動時クランキング充電率設定部と、前記推定車両周辺外気温の環境に駐車した車両における前記始動時クランキングの実行可否を、前記始動時クランキング充電率設定部により設定された前記始動時バッテリー充電率を用いて判定する始動時クランキング判定部と、該始動時クランキング判定部が前記推定車両周辺外気温の環境に駐車した車両での前記始動時クランキングは実行不能であると判定すると、アイドリングストップの実行頻度に制限を掛ける実行制限部とを備える。この形態の車両では、車両が駐車状況に推移する以前の走行過程におけるアイドリングストップのためのバッテリー放電の実行頻度を、推定車両周辺外気温の環境の推定駐車地点に駐車した後の始動時クランキングが実行不能になり得る場合には低減させて、内燃機関の継続運転の機会を増やす。よって、この形態の車両では、バッテリー充電率を不用意に低下させないようにして車両を駐車状況に推移できると共に、駐車以前における内燃機関の継続駆動に伴うバッテリーの充電機会も確保して、車両を駐車状況に推移できる。これらの結果、この形態の車両によれば、仮に車両駐車期間の内にバッテリーが低温度となっても、車両駐車以前におけるバッテリー充電率の低下抑制を通して、車両駐車後における内燃機関の始動時クランキングの実行確度を高めることができる。
【０００８】
（２）上記した形態の車両において、前記実行制限部は、アイドリングストップの実行を禁止するようにできる。アイドリングストップの実行を禁止することは、アイドリングストップの実行頻度がゼロとなるようアイドリングストップの実行に制限を掛けることに該当する。よって、この形態の車両によれば、車両が駐車状況に推移する以前の走行過程におけるアイドリングストップのためのバッテリー放電を、推定車両周辺外気温の環境に駐車した車両での始動時クランキングが実行不能になり得る場合には行わないようにして、内燃機関を継続運転させる。よって、この形態の車両では、バッテリー充電率をより確実に低下させないようにして車両を駐車状況に推移できると共に、駐車以前における内燃機関の継続駆動に伴うバッテリーの充電機会もより確実に確保して、車両を駐車状況に推移できる。これらの結果、この形態の車両によれば、仮に車両駐車期間の内にバッテリーが低温度となっても、バッテリー充電率の低下抑制を通して、車両駐車後における内燃機関の始動時クランキングの実行確度をより高めることができる。
【０００９】
（３）上記した形態の車両において、前記気温推定部は、前記車両周辺外気温として、前記推定駐車地点の最低外気温を推定し、前記始動時クランキング判定部は、前記始動時クランキング充電率設定部が前記最低外気温に対応して設定した前記始動時バッテリー充電率が所定の閾値を下回ると、前記始動時クランキングは実行不能であると判定するようにできる。こうすれば、車両駐車期間の内にバッテリーが推定駐車地点の最低外気温にまで低下したとしても、車両駐車後における内燃機関の始動時クランキングの実行確度を高めることができる。また、始動時クランキング充電率設定部が最低外気温に対応して設定した始動時バッテリー充電率が所定の閾値以上であれば、アイドリングストップを実行して低燃費化を図ることもできる。
【００１０】
（４）上記したいずれかの形態の車両において、前記始動時クランキング判定部は、前記推定駐車地点に車両が到達するまでの推定時間が所定時間より短時間となると、前記始動時クランキングの実行可否の判定を行うようにできる。こうすれば、次の利点がある。
【００１１】
車両が推定駐車地点に到達するまでの推定時間が所定時間より短時間であれば、車両が駐車するまでの走行時間が短くなるので、アイドリングストップのためになしたバッテリー放電を賄う充電機会を確保し難くなり勝ちとなる。上記の形態の車両によれば、バッテリーの充電機会を確保し難い状況において、始めてアイドリングストップを制限もしくは禁止するようにして、推定駐車地点に駐車した車両の車両駐車後における内燃機関の始動時クランキングの実行確度を高めることができる。また、推定時間が所定時間より長ければ、その走行期間においてバッテリー放電を賄う充電機会が確保できるので、アイドリングストップの実行を制限もしくは禁止しないようにして、低燃費化を図ることもできる。
【００１２】
なお、本発明は、種々の形態で実現することが可能であり、例えば、内燃機関のアイドリングストップ制御方法や、アイドリングストップ機能を備える車両の制御方法等の形態で実現することができる。
【図面の簡単な説明】
【００１３】
【図１】本発明の一実施形態としての車両１００の構成を示す説明図である。
【図２】アイドリングストップ制御に関与するアイドリングストップ制御部５６の機能ブロック図である。
【図３】車両１００が搭載した制御装置５０によって実行されるアイドリングストップの実行判定を含むアイドリングストップ制御の処理手順を示すフローチャートである。
【図４】始動時バッテリー充電率ＳＯＦ2と対比される閾値Ｖ2を再始動バッテリー充電率ＳＯＦ1との対比に用いる閾値Ｖ1と共に示す説明図である。
【図５】現状のバッテリー充電率ＳＯＣと対比される閾値Ｋを示す説明図である。
【図６】他の実施形態の車両１００におけるアイドリングストップの実行判定を含むアイドリングストップ制御の処理手順を示すフローチャートである。
【図７】また別の実施形態の車両１００におけるアイドリングストップの実行判定を含むアイドリングストップ制御の処理手順を示すフローチャートである。
【図８】図５相当図であり現状のバッテリー充電率ＳＯＣと対比される閾値Ｋを示す説明図である。
【発明を実施するための形態】
【００１４】
以下、本発明の実施の形態について、図面に基づき説明する。図１は本発明の一実施形態としての車両１００の構成を示す説明図である。車両１００は、内燃機関のアイドリングストップを実行する内燃機関制御装置を搭載した車両である。車両１００は、エンジン１０と、自動変速機１５と、ディファレンシャルギア２０と、駆動輪２５と、スターター３０と、オルタネータ３５と、バッテリー４０と、制御装置５０とを備えている。
【００１５】
エンジン１０は、ガソリンや軽油などの燃料を燃焼させることによって動力を発生させる内燃機関である。エンジン１０の動力は、自動変速機１５に伝達されるとともに、駆動機構３４を介してオルタネータ３５に伝達される。エンジン１０の出力は、運転者により操作されるアクセルペダル（図示せず）の踏み込み量に応じて、制御装置５０により変更される。
【００１６】
自動変速機１５は、変速比の変更（いわゆるシフトチェンジ）を自動的に実行する。エンジン１０の動力（回転数・トルク）は、自動変速機１５によって変速され、所望の回転数・トルクとして、ディファレンシャルギア２０を介して、左右の駆動輪２５に伝達される。こうして、エンジン１０の動力は、アクセルペダルの踏み込み量に応じて変更されつつ、自動変速機１５を介して駆動輪２５に伝達されて、車両１００の加速・減速が行なわれることになる。
【００１７】
オルタネータ３５にエンジン１０の動力を伝達する駆動機構３４は、本実施形態では、ベルトドライブの構成を採用している。オルタネータ３５は、エンジン１０の動力の一部を用いて発電を行なう。オルタネータ３５の発電電力は、図示しないインバーターを介してバッテリー４０の充電に用いられる。
【００１８】
バッテリー４０は、直流電源としての鉛蓄電池であり、エンジン本体以外に設けられた種々の補機類７０に電力を供給する。補機類７０は、エンジン本体以外に設けられた周辺機器であって、バッテリー４０の電力を用いて動作する種々の電気負荷機器としてヘッドライト７２や空調装置７４、オーディオ機器７６、ナビゲート機器７８、通信ユニット７９等を含む。このナビゲート機器７８は、図示しないユーザー操作部を備え、ユーザー操作を経た走行目的地の設定、走行目的地までの経路探索、走行目的地までの走行距離や時間等を演算算出し、算出結果を制御装置５０に出力する。ナビゲート機器７８は、経路探索に当たり、通信ユニット７９を介してＧＰＳ（Global Positioning System ）から車両１００の現在地位置情報や道路走行情報等を入手する。走行目的地は、車両走行の都度に設定されるとは限らないので、ナビゲート機器７８は、走行目的地が未設定の場合には、車両１００の走行状況から見かけ上の走行目的地を出力するようにしてもよい。例えば、平日の朝の通勤時間帯であれば、車両１００の走行目的地は勤務先駐車場と予想されるので、この勤務先駐車場を見かけ上の走行目的地とする。また、平日業務後の通勤時間帯であれば、車両１００の走行目的地は自宅駐車場と予想されるので、自宅駐車場（自宅）を見かけ上の走行目的地とする。通信ユニット７９は、ＧＰＳと通信を図るほか、車両外部の温度データーベース９２から、走行目的地における過去の最低温度等を入手し、これらデーターを制御装置５０に出力する。この場合の最低温度は、車両１００が走行状況にある日にち、或いは時期の最低温度である。
【００１９】
スターター３０は、バッテリー４０から供給される電力によってエンジン１０を始動させるセルモーターである。停止している自動車の運転を開始する際に、運転者がイグニッションスイッチ８９を操作すると、スターター３０が起動し、エンジン１０が始動する。このスターター３０は、アイドリングストップ状態からエンジン１０を再始動させる場合にも利用される。
【００２０】
制御装置５０は、ＣＰＵ５１とＲＯＭ５２とＲＡＭ５３と記憶機器５７と入出力ポートとを備えたコンピューターとして構成されている。入出力ポートには、車輪速センサー８２、ブレーキペダルセンサー８４、アクセル開度センサー８６、バッテリーセンサー８８等の各種センサーの他、スターター３０、オルタネータ３５、イグニッションスイッチ８９が接続される。車輪速センサー８２は、駆動輪２５の回転速度を検出して、検出速度を制御装置５０に出力する。ブレーキペダルセンサー８４は、図示しないブレーキペダルの踏み込み状況を検出して、踏込の有無並びに踏込速度や踏込量等を制御装置５０に出力する。アクセル開度センサー８６は、図示しないアクセルペダルの踏み込み量をアクセル開度として検出して、検出アクセル開度を制御装置５０に出力する。バッテリーセンサー８８は、バッテリー４０の電圧、電流、温度、内部抵抗、容量、充電受入性、ＳＯＣ（充電率）等のバッテリー特性を検出するセンサー群として構成され、バッテリー４０の電圧や電流、温度等を検出して、その検出結果を制御装置５０に出力する。
【００２１】
ＣＰＵ５１は、ＲＯＭ５２に記憶されたコンピュータープログラムをＲＡＭ５３にロードして実行することで、バッテリー特性測定部５４、アイドリングストップ制御部５６として機能する。バッテリー特性測定部５４は、バッテリーセンサー８８からのセンサー出力を用いてバッテリー４０の特性を演算もしくは測定する。具体的には、バッテリー特性測定部５４は、バッテリー４０の特性としての現状のバッテリー電圧、電流、温度、内部抵抗、容量、充電受入性、バッテリー充電率（以下、単にＳＯＣとも称する）を、バッテリーセンサー８８のセンサー出力から演算もしくは測定する。この場合、バッテリー温度については、検出したバッテリー電圧・電流等から推定演算するようにしてもよい他、バッテリー４０の液温を検出する液温センサーにて、バッテリー温度を直接検出するようにしてもよい。また、内部抵抗、容量、充電受入性、ＳＯＣについても、それぞれ、検出したバッテリー電圧と電流と温度等を用いて推定算出してもよい。
【００２２】
アイドリングストップ制御部５６は、車両１００がアイドリング状態のときにエンジン１０を停止させるアイドリングストップ制御を、バッテリー４０のＳＯＣ等に基づいて実行したり、制御の実行を禁止したりする。なお、アイドリングストップ制御の実行制限或いはその禁止については、アイドリングストップ制御部５６の機能ブロック図を含めて後述する。
【００２３】
記憶機器５７は、不揮発性の記憶媒体もしくは記憶装置であり、バッテリー温度とアイドリングストップ制御の実行可否を定める閾値との対応関係を予め記憶して保持する。このバッテリー温度と閾値との対応関係については、後述する。
【００２４】
次に、本実施形態の車両１００でなされるアイドリングストップ制御の実行状況について、アイドリングストップ制御部５６の果たす機能から説明する。図２はアイドリングストップ制御に関与するアイドリングストップ制御部５６の機能ブロック図である。図示するように、アイドリングストップ制御部５６は、演算推定部５６ａと、現状演算部５６ｂと、算出部５６ｃと、温度推定部５６ｄと、アイドリングストップ許可禁止判定部５６ｅとを備える。
【００２５】
算出部５６ｃは、バッテリー電流の他、車両１００が駐車状況に推移した際にオフとされるイグニッションスイッチ８９（図１参照）に関しての情報、例えば、イグニッションスイッチ８９がオフとされてからの経過時間（駐車時間）やその間の暗電流等の情報を入力して、イグニッションスイッチ８９がオフの間の放電量を算出する。そして、その算出した放電量を現状のバッテリー充電率ＳＯＣから減算して判定ＳＯＣを算出して、これを演算推定部５６ａに出力する。こうして出力される判定ＳＯＣは、現状のバッテリー充電率ＳＯＣを反映した充填率となる。判定ＳＯＣの算出の際の上記の経過時間や暗電流は、実際に計測した経過時間や暗電流の平均値としたり、予め定めた想定範囲の経過時間や暗電流、或いは統計的手法を用いた得た経過時間や暗電流の統計値のいずれであってもよい。また、車両１００は、通常、自宅等の所定の駐車場所に所定の時間に亘って駐車されることから、イグニッションスイッチ８９がオフとされた駐車場所に関する情報をナビゲート機器７８を介して入手し、その入手した駐車場所に対する駐車時間を用いるようにしてもよい。算出部５６ｃの算出した判定ＳＯＣは、駐車状況にある車両１００においてエンジン１０を始動する際の始動時クランキングに充当できる始動時バッテリー充電率ＳＯＦ2の設定に用いられる。
【００２６】
温度推定部５６ｄは、現状の外気温データーの他、車両１００が駐車状況に推移した際に車両１００が置かれる走行目的地における過去の最低温度の各温度データーを、ナビゲート機器７８および通信ユニット７９を介して入力し、走行目的地の外気温を推定して、その推定した走行目的地外気温（走行目的地推定外気温）を演算推定部５６ａに出力する。この場合の走行目的地は、ユーザー操作を経てナビゲート機器７８にて設定した走行目的地や、走行目的地未設定の場合の既述した見かけ上の走行目的地が含まれ、ナビゲート機器７８から温度推定部５６ｄに入力される。以下、見かけ上の走行目的地を含めて、単に、走行目的地と称する。
【００２７】
演算推定部５６ａは、算出部５６ｃからの判定ＳＯＣと、温度推定部５６ｄからの走行目的地推定外気温の他、バッテリー特性測定部５４の測定したバッテリー４０の内部抵抗や開放電圧（ＯＣＶ）、バッテリー温度、エンジン１０の始動時クランキングを行う際のバッテリー４０の放電電流等を入力する。この放電電流は、制御装置５０にてそのバッテリー特性測定部５４にクランキングの都度に、クランキングの際の外気温と対応付けて記憶されている。これらの入力を受け、演算推定部５６ａは、走行目的地で駐車状況にある車両１００においてエンジン１０を始動する際の始動時クランキングに充当できる始動時バッテリー充電率ＳＯＦ2を、走行目的地推定外気温（最低外気温）を考慮して設定する。この始動時バッテリー充電率ＳＯＦ2は、推定されたバッテリー充電率ではあるものの、車両走行中に通常行うアイドリングストップにおいて停止したエンジン１０を再始動する際のクランキングに充当できるバッテリー充電率とその性質において変わるものではない。また、始動時バッテリー充電率ＳＯＦ2の算出には、現状のバッテリー充電率ＳＯＣを反映した判定ＳＯＣが用いられることから、始動時バッテリー充電率ＳＯＦ2にあっても、現状のバッテリー充電率ＳＯＣが考慮されることになる。
【００２８】
現状演算部５６ｂは、バッテリー特性測定部５４の測定したバッテリー４０のバッテリー充電率ＳＯＣや内部抵抗、開放電圧（ＯＣＶ）の他、バッテリー温度、エンジン１０の始動時クランキングを行う際のバッテリー４０の放電電流等を入力する。これらの入力を受け、現状演算部５６ｂは、走行状況にある車両１００の一時停止の際のアイドリングストップを実行した後にエンジン１０を再始動する際のクランキングに充当できるバッテリー充電率を、現状バッテリー温度を考慮した再始動バッテリー充電率ＳＯＦ1として設定する。こうして設定された再始動バッテリー充電率ＳＯＦ1は、走行状況にある車両１００の一時停止において実行したアイドリングストップに伴うものであり、演算推定部５６ａの設定した始動時バッテリー充電率ＳＯＦ2は、その設定に当たり走行後に駐車する走行目的地の走行目的地推定外気温を用いている都合上、再始動バッテリー充電率ＳＯＦ1より通常小さくなる。
【００２９】
アイドリングストップ許可禁止判定部５６ｅは、バッテリー特性測定部５４からのＳＯＣ、演算推定部５６ａからの始動時バッテリー充電率ＳＯＦ2、温度推定部５６ｄからの再始動バッテリー充電率ＳＯＦ1の入力を受け、これらを所定の閾値と比べながら、アイドリングストップの実行を許可したり、禁止したり、もしくは制限したりする。上記した各機能ブロックにて、次のようにしてアイドリングストップ制御が実行される。図３は車両１００が搭載した制御装置５０によって実行されるアイドリングストップの実行判定を含むアイドリングストップ制御の処理手順を示すフローチャートである。
【００３０】
図示するアイドリングストップ制御は、イグニッションスイッチ８９がオンされた以降において、繰り返し実行され、制御装置５０は、まず、演算推定部５６ａにより、始動時バッテリー充電率ＳＯＦ2を算出する（ステップＳ１００）。この始動時バッテリー充電率ＳＯＦ2は、走行目的地で駐車状況にある車両１００においてエンジン１０を始動する際の始動時クランキングに充当できるバッテリー充電率であり、既述したように、現状のバッテリー４０のバッテリー温度、放電電流等の他、駐車状況に推移した際に車両１００が置かれる車両周辺の推定車両周辺外気温たる温度推定部５６ｄからの走行目的地推定外気温を考慮して算出される。走行目的地推定外気温を考慮するに当たり、本実施形態では、走行目的地における過去の最低温度を考慮した。制御装置５０は、その記憶機器５７に、走行目的地で駐車状況にある車両１００においてエンジン１０を始動する際の始動時クランキングに必要なバッテリー充電率を各種のバッテリー温度に対応付けて予め記憶している。よって、ステップＳ１００では、温度推定部５６ｄの得た走行目的地推定外気温に基づいて、始動時バッテリー充電率ＳＯＦ2を設定でき、この充電率は、設定に用いたバッテリー温度が推定温度（走行目的地推定外気温）である都合上、推定値となる。
【００３１】
次に、制御装置５０は、求めた始動時バッテリー充電率ＳＯＦ2を所定の閾値Ｖ2と対比する（ステップＳ１１０）。この閾値Ｖ2は、車両１００が走行目的地推定外気温の走行目的地に駐車された後にエンジン１０を始動時クランキングする際に必要とされるバッテリー充電率の下限値を規定し、バッテリー温度に対応付けて規定されている。図４は始動時バッテリー充電率ＳＯＦ2と対比される閾値Ｖ2を再始動バッテリー充電率ＳＯＦ1との対比に用いる閾値Ｖ1と共に示す説明図である。閾値Ｖ2は、走行目的地において車両１００が駐車された後にエンジン１０を始動時クランキングする際、エンジン１０を支障なく始動できるバッテリー充電率であり、図示するように、バッテリー温度が低くなるほど高い値に設定されている。併記する閾値Ｖ1は、走行状況下での一時停止に伴うアイドリングストップが実行された後にエンジン１０を再始動できるバッテリー充電率であり、図示するように、バッテリー温度が低くなるほど高い値に設定されている。車両１００が走行目的地で駐車している場合、その駐車時間は、走行状況下での一時停止に伴うアイドリングストップの際の内燃機関停止時間より各段に長い。よって、この駐車時間において、バッテリー４０のバッテリー温度は走行状況下より低温度となリ得るので、閾値Ｖ2は、低温域のバッテリー温度において、閾値Ｖ1より大きな値として設定されている。これら閾値は、予め制御装置５０の記憶機器５７（図１参照）に記憶されている。よって、制御装置５０は、ステップＳ１１０において、走行目的地推定外気温に対応する閾値Ｖ2を記憶機器５７から読み出し、この読み出した閾値Ｖ2と始動時バッテリー充電率ＳＯＦ2を対比する。
【００３２】
制御装置５０は、ステップＳ１１０において否定判定すると（ＳＯＦ2＜Ｖ2）、アイドリングストップを禁止して（ステップＳ１２０）、一旦本ルーチンを終了する。つまり、ステップＳ１００における否定判定は、後述するアイドリングストップに関する処理を一切行わないことを意味し、これは、次のような判断に基づく。既述したように、閾値Ｖ2は、車両１００が走行目的地推定外気温の走行目的地に駐車された後にエンジン１０を始動時クランキングする際に必要とされるバッテリー充電率の下限値であることから、この下限値たる閾値Ｖ2を始動時バッテリー充電率ＳＯＦ2が下回れば、走行目的地推定外気温の走行目的地での駐車後において、エンジン１０の始動時クランキングが実行不能になり得る可能性がある。よって、本実施形態では、ステップＳ１１０での否定判定に続くステップＳ１２０では、アイドリングストップを禁止する。
【００３３】
その一方、ステップＳ１１０において肯定判定すると（ＳＯＦ2≧Ｖ2）、制御装置５０は、アイドリングストップを許可し（ステップＳ１３０）、その後に一連の処理として、アイドリングストップ制御を実行する。つまり、制御装置５０は、バッテリー特性測定部５４による現状のバッテリー充電率ＳＯＣの算出（ステップＳ１３１）と、現状演算部５６ｂによる再始動バッテリー充電率ＳＯＦ1の算出（ステップＳ１３２）とを順次実行し、算出したバッテリー充電率ＳＯＣと所定の閾値Ｋとの対比、および再始動バッテリー充電率ＳＯＦ1と上記の閾値Ｖ1との対比とを行う（ステップＳ１３３）。そして、ステップＳ１３３にて、算出したバッテリー充電率ＳＯＣが閾値Ｋ以上であり、且つ、再始動バッテリー充電率ＳＯＦ1が閾値Ｖ1以上であれば、アイドリングストップを実行し（ステップＳ１３４）、一旦本ルーチンを終了する。図５は現状のバッテリー充電率ＳＯＣと対比される閾値Ｋを示す説明図である。閾値Ｋは、アイドリングストップの実行頻度をある程度確保すべくバッテリー温度に対して予め定めたバッテリー充電率であり、図示するように、低温度域と高温度域、およびその中間温度域とで異なる値とされ、低温度域では小さい値に設定されている。アイドリングストップは、車両１００の走行状況下における一時停止の際に実行される制御であることから、アイドリングストップの実行後においても車両１００は走行状態を継続することが想定されている。よって、低温度域のバッテリー温度であっても、アイドリングストップの実行後の車両走行においてバッテリーの充電機会が確保されるので、閾値Ｋを低温度域で小さい値に設定することで、アイドリングストップの実行頻度を高めることができる。なお、ステップＳ１３４にてアイドリングストップを実行した後のエンジン１０の再始動は、図示しない内燃機関制御にて実行される。
【００３４】
制御装置５０は、アイドリングストップの許可状況下（ステップＳ１２０）のステップＳ１３３における対比により、現状のバッテリー充電率ＳＯＣと再始動バッテリー充電率ＳＯＦ1のいずれかが上記の閾値を下回ると否定判定すると、ステップＳ１２０に移行してアイドリングストップを禁止しして、一旦本ルーチンを終了する。
【００３５】
以上説明した構成を備える本実施形態の車両１００は、走行後に駐車する走行目的地の走行目的地推定外気温（最低外気温）を考慮して始動時バッテリー充電率ＳＯＦ2を設定する。そしてこの始動時バッテリー充電率ＳＯＦ2が、車両１００が走行目的地推定外気温の走行目的地に駐車された後にエンジン１０を始動時クランキングする際に必要とされる下限のバッテリー充電率である閾値Ｖ2を下回ると、走行目的地に駐車した車両１００での始動時クランキングが実行不能となり得るとして、駐車状況に推移する以前の走行過程におけるアイドリングストップの実行を禁止する（ステップＳ１１０：否定判定〜ステップＳ１２０）。つまり、本実施形態の車両１００は、アイドリングストップの実行を禁止してアイドリングストップの実行頻度をゼロとなるようアイドリングストップの実行に制限を掛けることで、車両１００が駐車状況に推移する以前の走行過程におけるアイドリングストップのためのバッテリー放電を、走行目的地に駐車した車両１００での始動時クランキングが実行不能となり得る場合には行わないようにして、エンジン１０を継続運転させる。よって、本実施形態の車両１００では、バッテリー充電率を確実に低下させないようにして駐車状況に推移できると共に、駐車以前におけるエンジン１０の継続駆動に伴うバッテリーの充電機会もより確実に確保して、駐車状況に推移できる。これらの結果、本実施形態の車両１００によれば、仮に車両駐車期間の内にバッテリー４０が低温度となっても、走行過程下でのバッテリー充電率の低下抑制を通して、車両駐車後におけるエンジン１０の始動時クランキングの実行確度をより高めることができる。
【００３６】
本実施形態の車両１００は、アイドリングストップの実行禁止を定める始動時バッテリー充電率ＳＯＦ2を求めるに当たり、ナビゲート機器７８や通信ユニット７９および温度データーベース９２を介して、走行目的地の過去の最低外気温を、走行目的地の走行目的地推定外気温とした。よって、本実施形態の車両１００によれば、走行目的地での車両駐車期間の内にバッテリー４０が車両駐車地点の最低外気温にまで低下したとしても、車両駐車後におけるエンジン１０の始動時クランキングの実行確度を高めることができる。また、本実施形態の車両１００は、走行目的地の過去の最低外気温を考慮して定めた始動時バッテリー充電率ＳＯＦ2が既述した閾値Ｖ2以上であれば（ステップＳ１１０：肯定判定）、アイドリングストップを実行するので（ステップＳ１３０〜１３４）、低燃費化を図ることもできる。
【００３７】
本実施形態の車両１００は、アイドリングストップ制御の実行を許可する閾値の一つである閾値Ｋを、低温度領域のバッテリー温度では高温度領域より小さくした（図５参照）。このため、本実施形態の車両１００は、低温度領域のバッテリー温度の状況下において、バッテリー４０のバッテリー充電率ＳＯＣが高温領域のバッテリー充電率ＳＯＣより小さくても、低温度領域のバッテリー温度の際のバッテリー充電率ＳＯＣが閾値Ｋに一致もしくはこれを超える機会を増やす。この結果、本実施形態の車両１００は、その有する制御装置５０により、低温度領域のバッテリー温度の状況下におけるアイドリングストップ制御の実行機会を閾値Ｋによって増やし得るので、低バッテリー温度の際の燃費を向上できる。なお、これら効果は、走行目的地の過去の最低外気温を考慮して定めた始動時バッテリー充電率ＳＯＦ2が既述した閾値Ｖ2以上（ステップＳ１１０：肯定判定）である場合に得られる。
【００３８】
次に、他の実施形態について説明する。この実施形態は、アイドリングストップの実行禁止処理への推移を、車両１００が走行目的地まで走行する走行時間の長短に基づいて設定する点に特徴がある。図６は他の実施形態の車両１００におけるアイドリングストップの実行判定を含むアイドリングストップ制御の処理手順を示すフローチャートである。
【００３９】
図示するアイドリングストップ制御にあっても、イグニッションスイッチ８９がオンされた以降において、繰り返し実行され、制御装置５０は、ステップＳ１００の始動時バッテリー充電率ＳＯＦ2の算出に先立ち、まず、走行目的地までの走行時間Ｔｍを演算する（ステップＳ２００）。制御装置５０は、ナビゲート機器７８から得られた走行目的地と、ＧＰＳ情報を経て得られた現在走行地点との間の走行距離を求め、現状の車速から、走行時間Ｔｍを演算する。次に、制御装置５０は、この走行時間Ｔｍと所定の閾値時間Ｔαとを対比する（ステップＳ２１０）。この閾値時間Ｔαは、走行状況にある車両１００の一時停止に伴うアイドリングストップのためになしたバッテリー放電を賄う充電機会を確実に確保できる時間、例えば２時間〜数時間の時間として予め規定され、記憶機器５７に記憶されている。よって、制御装置５０は、ステップＳ２１０により肯定判定すると（Ｔｍ≧Ｔα）、走行目的地に到達するまで車両１００は十分な時間を継続走行するので、この間にバッテリーの充電機会は多々あるとして、ステップＳ１３０に移行し、アイドリングストップの実行許可に付随した一連の処理（ステップＳ１３０〜１３４）を行う。
【００４０】
その一方、制御装置５０は、ステップＳ２１０で否定判定すると（Ｔｍ＜Ｔα）、車両１００が走行目的地に短時間の内に到達するので、この間ではバッテリーの充電機会を確保し難くなるとして、ステップＳ１００に移行し、その後の処理を行う。このように、ステップＳ２１０での否定判定（Ｔｍ＜Ｔα）を経て移行したステップＳ１００以降の処理（ステップＳ１１０）において、制御装置５０は、始動時バッテリー充電率ＳＯＦ2に応じて、アイドリングストップの禁止（ステップＳ１２０）と実行許可に付随した一連の処理（ステップＳ１３０〜１３４）とを行う。
【００４１】
この実施形態によれば、走行目的地までの走行時間Ｔｍが短いためにバッテリーの充電機会を確保し難い状況において、始めてアイドリングストップを禁止するので、走行目的地に駐車した車両１００の車両駐車後におけるエンジン１０の始動時クランキングの実行確度をより高めることができる。また、走行目的地までの走行時間Ｔｍが閾値時間Ｔαより長ければ、その走行期間においてバッテリー放電を賄う充電機会を確保できるので、アイドリングストップの実行を禁止しないようにして、低燃費化を図ることもできる。
【００４２】
次に、また別の実施形態について説明する。この実施形態は、走行後に駐車する走行目的地の走行目的地推定外気温（最低外気温）を考慮して設定した始動時バッテリー充電率ＳＯＦ2に応じて、アイドリングストップの実行頻度を低減する点に特徴がある。図７はまた別の実施形態の車両１００におけるアイドリングストップの実行判定を含むアイドリングストップ制御の処理手順を示すフローチャート、図８は図５相当図であり現状のバッテリー充電率ＳＯＣと対比される閾値Ｋを示す説明図である。
【００４３】
図示するアイドリングストップ制御にあっても、イグニッションスイッチ８９がオンされた以降において、繰り返し実行され、制御装置５０は、始動時バッテリー充電率ＳＯＦ2の算出（ステップＳ１００）、閾値Ｖ2との対比（ステップＳ１１０）を行う。そして、制御装置５０は、ステップＳ１１０にて否定判定すると（ＳＯＦ2＜Ｖ2）、ステップＳ１３３での現状のバッテリー充電率ＳＯＣとの対比に用いる閾値Ｋの拡大を禁止して、閾値拡大の許可フラグｆａをリセットし（ステップＳ１１２）、アイドリングストップの実行許可に付随した一連の処理（ステップＳ１３０〜１３４）を行う。その一方、ステップＳ１１０において肯定判定すると（ＳＯＦ2≧Ｖ2）、制御装置５０は、閾値Ｋの拡大を許可して、閾値拡大の許可フラグｆａをセットし（ステップＳ１１４）、アイドリングストップの実行許可に付随した一連の処理（ステップＳ１３０〜１３４）を行う。
【００４４】
ステップＳ１１０での否定判定（ＳＯＦ2＜Ｖ2）と、ステップＳ１１２での閾値拡大禁止並びに許可フラグｆａのリセットを経た一連の処理（ステップＳ１３０〜１３４）では、そのステップＳ１３３において、現状のバッテリー充電率ＳＯＣは、図８に示す許可フラグｆａリセットに対応した閾値Ｋと対比される。この場合の閾値Ｋは、既述したようにアイドリングストップの実行頻度をある程度確保すべくバッテリー温度に対して予め定めたバッテリー充電率であるが、図示するように、低温度域における値が高温度域と同じとされている。よって、ステップＳ１３３では、現状のバッテリー充電率ＳＯＣが上記の閾値Ｋ以上となる確度が低くなるので、その分、アイドリングストップの実行頻度が低下する。
【００４５】
その一方、ステップＳ１１０での肯定判定（ＳＯＦ2≧Ｖ2）と、ステップＳ１１４での閾値拡大許可並びに許可フラグｆａのセットを経た一連の処理（ステップＳ１３０〜１３４）では、そのステップＳ１３３において、現状のバッテリー充電率ＳＯＣは、図８に示す許可フラグｆａセットに対応した閾値Ｋと対比される。この場合の閾値Ｋは、低温度域と高温度域、およびその中間温度域とで異なる値とされ、低温度域では小さい値に設定されている。よって、ステップＳ１３３では、現状のバッテリー充電率ＳＯＣが上記の閾値Ｋ以上となる確度が高まり、その分、アイドリングストップの実行頻度が高くなる。
【００４６】
この実施形態では、走行後に駐車する走行目的地の走行目的地推定外気温（最低外気温）を考慮して設定した始動時バッテリー充電率ＳＯＦ2が、車両１００が走行目的地推定外気温の走行目的地に駐車された後にエンジン１０を始動時クランキングする際に必要とされる下限のバッテリー充電率である閾値Ｖ2を下回ると、車両１００が駐車状況に推移する以前の走行過程におけるアイドリングストップのためのバッテリー放電の実行頻度を低減させて、エンジン１０の継続運転の機会を増やす。よって、この実施形態の車両１００によっても、バッテリー充電率を不用意に低下させないようにして駐車状況に推移できると共に、駐車以前におけるエンジン１０の継続駆動に伴うバッテリーの充電機会も確保して、駐車状況に推移できる。これらの結果、この実施形態の車両１００によっても、仮に車両駐車期間の内にバッテリー４０が低温度となっても、走行過程下でのバッテリー充電率の低下抑制を通して、車両駐車後におけるエンジン１０の始動時クランキングの実行確度を高めることができる。
【００４７】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、或いは、上述の効果の一部又は全部を達成するために、適宜、差し替えや、組み合わせを行うことが可能である。また、その技術的特徴が本明細書中に必須なものとして説明されていなければ、適宜、削除することが可能である。
【００４８】
上記した実施形態の車両１００では、始動時バッテリー充電率ＳＯＦ2を設定するに当たり、通信ユニット７９や温度データーベース９２を介して得た走行目的地の最低外気温を考慮したが、これに限らない。例えば、制御装置５０にて、車両周辺の実際の外気温を監視し、その最低外気温を記憶するようにする。その上で、この記憶した実際の最低外気温に基づいて、始動時バッテリー充電率ＳＯＦ2を算出するようにしてもよい。より具体的に説明すると、制御装置５０は、駐車地点（自宅、勤務先、旅行目的地等）に車両１００が駐車している駐車期間に亘って外気温を監視し、駐車地点と外気温推移とを対比して記憶し、外気温推移の履歴の中で最も低温度の外気温を駐車地点ごとの最低外気温とし、この最低外気温に基づいて、始動時バッテリー充電率ＳＯＦ2を算出するようにしてもよい。
【００４９】
この他、走行目的地の最低外気温や車両周辺の実際の最低外気温に限らず、次のようにしてもよい。ユーザーは、自身の生活習慣に合わせて,通常、車両１００を走行させる。例えば、「平日の毎朝７時に車両通勤を行う」という生活習慣であれば、車両１００のエンジン１０は、平日の毎朝７時に始動されることになる。通常、最低外気温は朝７時より早い時刻に観測されることから、朝７時時点での外気温は当日の最低外気温より高くなり勝ちである。こうした場合において、上記したように最低外気温に基づいた始動時バッテリー充電率ＳＯＦ2の算出を行うようにできるが、ユーザーの生活習慣に適合した始動時間である朝７時時点での駐車地点（例えば、自宅駐車場等）の気温に基づいて、始動時バッテリー充電率ＳＯＦ2の算出を行うようにしてもよい。このようにするには、例えば、制御装置５０にて、最初にエンジン１０が始動された時刻（最先始動時刻）を曜日等と関連付けて記憶し、その記憶した最先始動時刻に測定した外気温、もしくは最先始動時刻に想定される想定外気温のいずれかに基づいて、始動時バッテリー充電率ＳＯＦ2を算出すればよい。
【００５０】
アイドリングストップの実行頻度の低減を図る図７のアイドリングストップ制御において、車両１００が走行目的地まで走行する走行時間の長短を考慮するようにしてもよい。こうするには、図７のステップＳ１００の始動時バッテリー充電率ＳＯＦ2の算出に先立ち、走行目的地までの走行時間Ｔｍの演算（ステップＳ２００）と、走行時間Ｔｍと閾値時間Ｔαとの対比（ステップＳ２１０）とを行い、このステップＳ２１０での判定結果に応じて、ステップＳ１００〜１１０をスキップしたアイドリングストップ実行許可に付随の一連の処理（ステップＳ１３０〜１３４）への移行、もしくは、ステップＳ１００〜１１０を経た後のアイドリングストップ実行許可に付随の一連の処理（ステップＳ１３０〜１３４）への移行を行う。
【符号の説明】
【００５１】
１０…エンジン
１５…自動変速機
２０…ディファレンシャルギア
２５…駆動輪
３０…スターター
３４…駆動機構
３５…オルタネータ
４０…バッテリー
５０…制御装置
５１…ＣＰＵ
５４…バッテリー特性測定部
５６…アイドリングストップ制御部
５６ａ…演算推定部
５６ｂ…現状演算部
５６ｃ…算出部
５６ｄ…温度推定部
５６ｅ…アイドリングストップ許可禁止判定部
５７…記憶機器
７０…補機類
７２…ヘッドライト
７４…空調装置
７６…オーディオ機器
７８…ナビゲート機器
７９…通信ユニット
８２…車輪速センサー
８４…ブレーキペダルセンサー
８６…アクセル開度センサー
８８…バッテリーセンサー
８９…イグニッションスイッチ
９２…温度データーベース
１００…車両
【図１】
2015129494.tif 000003
【図２】
2015129494.tif 000004
【図３】
2015129494.tif 000005
【図４】
2015129494.tif 000006
【図５】
2015129494.tif 000007
【図６】
2015129494.tif 000008
【図７】
2015129494.tif 000009
【図８】
2015129494.tif 000010